(57)【要約】【課題】記録フォーマットにかかわらず所望速度でディスク記録情報を早送り再生する。【解決手段】制御部３はＤＶＤ７の通常再生中に早送り指示をキー入力部２３を介して入力すると、早送り部３９はＤＶＤ７において＋ＶＲフォーマットまたはVideoフォーマットで共通して記録されるタイトルデータ６中のＶＯＢＵのアドレスマップ４０、各ＶＯＢＵの再生開始および終了時間データ、ならびにサーチ情報６０を用いて、指示された所望速度に従う早送り速度の調整を行なう。【選択図】図１
2008226413.tif 000002
【特許請求の範囲】
【請求項１】
映像データと前記映像データに関連の制御情報とを含む複数の映像ユニットからなるコンテンツが記録されたディスクから、前記コンテンツを再生するディスク装置であって、
前記コンテンツの通常再生中において早送り指示が入力されると、入力された前記早送り指示に基づき、早送りすべき映像データ量の通常再生時間を検出する早送り時間検出部と、
前記早送り指示が入力された時点で通常再生中の前記映像ユニット中の前記映像データの通常再生に要する時間を検出するユニット時間検出部と、
前記早送り時間検出部により検出された前記通常再生時間と、前記ユニット時間検出部により検出された前記時間に基づき、前記早送りすべき映像データ量を構成する前記映像ユニットの個数を検出するユニット個数検出部と、
前記早送り指示が入力された時点で通常再生中の前記映像データの前記映像ユニットの前記ディスクから読出されたアドレスと、前記ユニット個数検出部により検出された前記個数とに基づき、次位に再生するべき映像データの映像ユニットの前記ディスクにおけるアドレスを指す次位アドレスを検出するアドレス検出部と、
検出された前記次位アドレスに基づき前記ディスクを検索して次位に再生するべき映像データを読出し出力する検索出力部とを備え、
前記制御情報には、関連の前記映像データの通常再生を開始する開始時間データと通常再生を終了する終了時間データとが含まれて、
前記ユニット時間検出部は、前記早送り指示が入力された時点で通常再生中の前記映像データの前記映像ユニットの前記映像データの通常再生に要する時間を、当該映像ユニット中の前記制御情報の前記開始時間データと前記終了時間データに基づき検出し、
前記ディスクは、前記複数の映像ユニットそれぞれに対応して、当該映像ユニットの前記ディスクにおけるアドレスが格納された記録領域を有し、
前記記録領域の各アドレスは、前記コンテンツを再生する場合の当該アドレスに対応の前記映像ユニット中の映像データが再生されるべき順番を指す順番データにより指示されて、
前記アドレス検出部は、
前記早送り指示が入力された時点で通常再生中の前記映像データの前記映像ユニットの前記ディスクから読出されたアドレスに基づき前記記録領域を検索して、検索された前記アドレスを指示する前記順番データと前記ユニット個数検出部により検出された前記個数とに基づき次位に再生するべき映像データの映像ユニットの前記順番データを算出し、算出した前記順番データに基づき前記記録領域を検索して、当該順番データが指示する前記アドレスを前記次位アドレスとして読出す検索部を有し、
前記ディスクは、前記通常再生中において早送り指示が入力されたときに、次位に再生するべき所定の映像データの映像ユニットの前記ディスクにおけるアドレスが記録されたアドレスが記録されたアドレス領域を有し、
前記検索部が算出した前記順番データが有効でないと検出されたときは、前記アドレス領域から読出された前記アドレスが前記次位アドレスとして前記検索出力部に与えられ、
前記アドレス検出部により検出されたアドレスが、前記ディスクにおける前記コンテンツが記録された領域外のアドレスを指示すると検出されたときは、前記早送り指示に基づく前記ディスクからの映像データの読出しを終了し、
前記コンテンツの前記ディスクへの記録フォーマットは＋ＶＲフォーマットまたはVideoフォーマットを指す、ディスク装置。
【請求項２】
映像データと前記映像データに関連の制御情報とを含む複数の映像ユニットからなるコンテンツが記録されたディスクから、前記コンテンツを再生するディスク装置であって、
前記コンテンツの通常再生中において早送り指示が入力されると、入力された前記早送り指示に基づき、早送りすべき映像データ量の通常再生時間を検出する早送り時間検出部と、
前記早送り指示が入力された時点で通常再生中の前記映像ユニット中の前記映像データの通常再生に要する時間を検出するユニット時間検出部と、
前記早送り時間検出部により検出された前記通常再生時間と、前記ユニット時間検出部により検出された前記時間に基づき、前記早送りすべき映像データ量を構成する前記映像ユニットの個数を検出するユニット個数検出部と、
前記早送り指示が入力された時点で通常再生中の前記映像データの前記映像ユニットの前記ディスクから読出されたアドレスと、前記ユニット個数検出部により検出された前記個数とに基づき、次位に再生するべき映像データの映像ユニットの前記ディスクにおけるアドレスを指す次位アドレスを検出するアドレス検出部と、
検出された前記次位アドレスに基づき前記ディスクを検索して次位に再生するべき映像データを読出し出力する検索出力部とを備え、
前記制御情報には、関連の前記映像データの通常再生を開始する開始時間データと通常再生を終了する終了時間データとが含まれて、
前記ユニット時間検出部は、前記早送り指示が入力された時点で通常再生中の前記映像データの前記映像ユニットの前記映像データの通常再生に要する時間を、当該映像ユニット中の前記制御情報の前記開始時間データと前記終了時間データに基づき検出する、ディスク装置。
【請求項３】
前記ディスクは、前記複数の映像ユニットそれぞれに対応して、当該映像ユニットの前記ディスクにおけるアドレスが格納された記録領域を有し、
前記記録領域の各アドレスは、前記コンテンツを再生する場合の当該アドレスに対応の前記映像ユニット中の映像データが再生されるべき順番を指す順番データにより指示されて、
前記アドレス検出部は、
前記早送り指示が入力された時点で通常再生中の前記映像データの前記映像ユニットの前記ディスクから読出されたアドレスに基づき前記記録領域を検索して、検索された前記アドレスを指示する前記順番データと前記ユニット個数検出部により検出された前記個数とに基づき次位に再生するべき映像データの映像ユニットの前記順番データを算出し、算出した前記順番データに基づき前記記録領域を検索して、当該順番データが指示する前記アドレスを前記次位アドレスとして読出す検索部を有する、請求項２に記載のディスク装置。
【請求項４】
前記ディスクは、前記通常再生中において早送り指示が入力されたときに、次位に再生するべき所定の映像データの映像ユニットの前記ディスクにおけるアドレスが記録されたアドレス領域を有し、
前記検索部が算出した前記順番データが有効でないと検出されたときは、前記アドレス領域から読出された前記アドレスが前記次位アドレスとして前記検索出力部に与えられる、請求項２または３に記載のディスク装置。
【請求項５】
前記アドレス検出部により検出されたアドレスが、前記ディスクにおける前記コンテンツが記録された領域外のアドレスを指示すると検出されたときは、前記早送り指示に基づく前記ディスクからの映像データの読出しを終了する、請求項２から４のいずれか１項に記載のディスク装置。
【請求項６】
前記コンテンツの前記ディスクへの記録フォーマットは＋ＶＲフォーマットを指す、請求項２から５のいずれか１項に記載のディスク再生装置。
【請求項７】
前記コンテンツの前記ディスクへの記録フォーマットはVideoフォーマットを指す、請求項２から５のいずれか１項に記載のディスク装置。
【請求項８】
映像データと前記映像データに関連の制御情報とを含む複数の映像ユニットからなるコンテンツが記録されたディスクから、前記コンテンツを再生する方法であって、
前記コンテンツの通常再生中において早送り指示が入力されると、入力された前記早送り指示に基づき、早送りすべき映像データ量の通常再生時間を検出するステップと、
前記早送り指示が入力された時点で通常再生中の前記映像ユニット中の前記映像データの通常再生に要する時間を検出するステップと、
前記早送り時間を検出するステップにより検出された前記通常再生時間と、前記ユニット時間を検出するステップにより検出された前記時間に基づき、前記早送りすべき映像データ量を構成する前記映像ユニットの個数を検出するステップと、
前記早送り指示が入力された時点で通常再生中の前記映像データの前記映像ユニットの前記ディスクから読出されたアドレスと、前記ユニット個数を検出するステップにより検出された前記個数とに基づき、次位に再生するべき映像データの映像ユニットの前記ディスクにおけるアドレスを指す次位アドレスを検出するステップと、
検出された前記次位アドレスに基づき前記ディスクを検索して次位に再生するべき映像データを読出し出力するステップとを備え、
前記制御情報には、関連の前記映像データの通常再生を開始する開始時間データと通常再生を終了する終了時間データとが含まれて、
前記映像ユニットの映像データの通常再生に要する期間を検出するステップでは、前記早送り指示が入力された時点で通常再生中の前記映像データの前記映像ユニットの前記映像データの通常再生に要する時間を、当該映像ユニット中の前記制御情報の前記開始時間データと前記終了時間データに基づき検出し、
前記ディスクは、前記複数の映像ユニットそれぞれに対応して、当該映像ユニットの前記ディスクにおけるアドレスが格納された記録領域を有し、
前記記録領域の各アドレスは、前記コンテンツを再生する場合の当該アドレスに対応の前記映像ユニット中の映像データが再生されるべき順番を指す順番データにより指示されて、
前記次位に再生するべき映像データの映像ユニットの前記ディスクにおけるアドレスを検出するステップは、
前記早送り指示が入力された時点で通常再生中の前記映像データの前記映像ユニットの前記ディスクから読出されたアドレスに基づき前記記録領域を検索して、検索された前記アドレスを指示する前記順番データと前記ユニット個数検出部により検出された前記個数とに基づき次位に再生するべき映像データの映像ユニットの前記順番データを算出し、算出した前記順番データに基づき前記記録領域を検索して、当該順番データが指示する前記アドレスを前記次位アドレスとして読出すステップを有し、
前記ディスクは、前記通常再生中において早送り指示が入力されたときに、次位に再生するべき所定の映像データの映像ユニットの前記ディスクにおけるアドレスが記録されたアドレス領域を有し、
前記算出した順番データが有効でないと検出されたときは、前記アドレス領域から読出された前記アドレスが前記次位アドレスとして出力されて、
前記アドレスを検出するステップにより検出されたアドレスが、前記ディスクにおける前記コンテンツが記録された領域外のアドレスを指示すると検出されたときは、前記早送り指示に基づく前記ディスクからの映像データの読出しを終了し、
前記コンテンツの前記ディスクへの記録フォーマットは＋ＶＲフォーマットまたはVideoフォーマットを指す、再生方法。
【請求項９】
映像データと前記映像データに関連の制御情報とを含む複数の映像ユニットからなるコンテンツが記録されたディスクから、前記コンテンツを再生する方法であって、
前記コンテンツの通常再生中において早送り指示が入力されると、入力された前記早送り指示に基づき、早送りすべき映像データ量の通常再生時間を検出するステップと、
前記早送り指示が入力された時点で通常再生中の前記映像ユニット中の前記映像データの通常再生に要する時間を検出するステップと、
前記早送り時間を検出するステップにより検出された前記通常再生時間と、前記ユニット時間を検出するステップにより検出された前記時間に基づき、前記早送りすべき映像データ量を構成する前記映像ユニットの個数を検出するステップと、
前記早送り指示が入力された時点で通常再生中の前記映像データの前記映像ユニットの前記ディスクから読出されたアドレスと、前記ユニット個数を検出するステップにより検出された前記個数とに基づき、次位に再生するべき映像データの映像ユニットの前記ディスクにおけるアドレスを指す次位アドレスを検出するステップと、
検出された前記次位アドレスに基づき前記ディスクを検索して次位に再生するべき映像データを読出し出力するステップとを備え、
前記制御情報には、関連の前記映像データの通常再生を開始する開始時間データと通常再生を終了する終了時間データとが含まれて、
前記映像ユニットの映像データの通常再生に要する期間を検出するステップでは、前記早送り指示が入力された時点で通常再生中の前記映像データの前記映像ユニットの前記映像データの通常再生に要する時間を、当該映像ユニット中の前記制御情報の前記開始時間データと前記終了時間データに基づき検出する、再生方法。
【請求項１０】
前記ディスクは、前記複数の映像ユニットそれぞれに対応して、当該映像ユニットの前記ディスクにおけるアドレスが格納された記録領域を有し、
前記記録領域の各アドレスは、前記コンテンツを再生する場合の当該アドレスに対応の前記映像ユニット中の映像データが再生されるべき順番を指す順番データにより指示されて、
前記次位に再生するべき映像データの映像ユニットの前記ディスクにおけるアドレスを検出するステップは、
前記早送り指示が入力された時点で通常再生中の前記映像データの前記映像ユニットの前記ディスクから読出されたアドレスに基づき前記記録領域を検索して、検索された前記アドレスを指示する前記順番データと前記ユニット個数検出部により検出された前記個数とに基づき次位に再生するべき映像データの映像ユニットの前記順番データを算出し、算出した前記順番データに基づき前記記録領域を検索して、当該順番データが指示する前記アドレスを前記次位アドレスとして読出すステップを有する、請求項９に記載の再生方法。
【請求項１１】
前記ディスクは、前記通常再生中において早送り指示が入力されたときに、次位に再生するべき所定の映像データの映像ユニットのディスクにおけるアドレスが記録されたアドレス領域を有し、
前記算出した順番データが有効でないと検出されたときは、前記アドレス領域から読出された前記アドレスが前記次位アドレスとして出力される、請求項９または１０に記載の再生方法。
【請求項１２】
前記アドレスを検出するステップにより検出されたアドレスが、前記ディスクにおける前記コンテンツが記録された領域外のアドレスを指示すると検出されたときは、前記早送り指示に基づく前記ディスクからの映像データの読出しを終了する、請求項９から１１のいずれか１項に記載の再生方法。
【請求項１３】
前記コンテンツの前記ディスクへの記録フォーマットは＋ＶＲフォーマットを指す、請求項９から１２のいずれか１項に記載の再生方法。
【請求項１４】
前記コンテンツの前記ディスクへの記録フォーマットはVideoフォーマットを指す、請求項９から１２のいずれか１項に記載の再生方法。
【発明の詳細な説明】
【技術分野】
【０００１】
この発明はディスク装置および再生方法に関し、特に、再生動作における早送り機能を有するディスク装置および再生方法に関する。
【背景技術】
【０００２】
従来、ディスク再生装置の特殊再生機能の１つに早送り再生があった。たとえば、特許文献１においては、再生速度が調整可能な構成が示される。具体的には、コンテンツ再生装置においてＤＶＤ（Digital Versatile Disc）、ＨＤ（Hard Disc）などに記録されているコンテンツから、再生するコンテンツのチャプタ単位での記録時間長さ情報を取得し、取得した情報と記録時間長さなどに応じて予め規定されている再生時間とに基づき、再生速度を算出し、算出した再生速度に従う再生制御を行なうことを可能としている。
【特許文献１】特開２００６−１９６０５２号公報
【発明の開示】
【発明が解決しようとする課題】
【０００３】
特許文献１の構成によれば、コンテンツ全体で再生速度を決めることができるとともに、チャプタ単位で再生速度を制御できる。しかしながら、ディスクにデータを記録する際にはユーザの所望に応じた記録フォーマットが指定されるので、記録フォーマットを考慮した速度調整が必要となる。
【０００４】
なぜならば、たとえば＋ＶＲ（Video Recording）フォーマットに従い記録されたデータと、Ｖｉｄｅｏフォーマットに従い記録されたデータとの間には互換性があるという特徴を有する反面、＋ＶＲフォーマットに従いＤＶＤにデータを記録する場合には、記録時の負担を減らすため、コンテンツを再生するための制御情報は簡略化されて記録される。そのために、ＤＶＤに記録されるコンテンツの早送り再生に必要なサーチ情報量はＶｉｄｅｏフォーマットに従い記録されるサーチ情報と比べて少なく、所望されるような速度で早送り調整することが困難であった。
【０００５】
この課題を、図８を参照して説明する。図８には、たとえばＤＶＤに記録された上記の制御情報が模式的に示される。制御情報はデータ７１、７２、７３およびサーチ情報を含む。早送り再生においてはこのサーチ情報が参照される。データ７１〜７３は＋ＶＲフォーマットおよびＶｉｄｅｏフォーマットのいずれに従う記録動作においても共通して記録されるデータであり、その詳細は後述する。
【０００６】
サーチ情報としてＶｉｄｅｏフォーマットの場合には、現在再生中のＶＯＢＵ（Video Object Unit）から０．５秒後、１秒後、１．５秒後・・・、７．５秒後というように０．５秒間隔で、次位に再生されるべきＶＯＢＵのアドレスを指示する複数の情報６１、１０秒後、３０秒後、６０秒後および２分後というように次位に再生されるべきＶＯＢＵのアドレスを指示する情報６２、６３、６４および６５が記録される。したがって、Ｖｉｄｅｏフォーマットに従うデータの早送り再生時には、当該サーチ情報を用いることで所望される速度に従う早送り再生が可能となる。
【０００７】
一方、＋ＶＲフォーマットに従い記録されるサーチ情報としては、現在再生中のＶＯＢＵから０．５秒後、１秒後、１．５秒後・・・、３秒後というように０．５秒間隔で、次位に再生されるべきＶＯＢＵのアドレスを指示する複数の情報６１が記録されるにすぎず、Ｖｉｄｅｏフォーマットのサーチ情報に比べて情報量および種類は少ない。したがって、＋ＶＲフォーマットに従うデータの早送り再生時には、所望される速度によっては早送り再生が困難となる。
【０００８】
それゆえにこの発明の目的は、記録フォーマットにかかわらず、所望される速度でディスクに記録された情報を早送り再生することのできるディスク装置および再生方法を提供することである。
【０００９】
この発明のさらに他の目的は、＋ＶＲフォーマットに従った記録情報を早送り再生する際に、所望される速度で早送り調整することのできるディスク装置および再生方法を提供することである。
【００１０】
本願明細書では、再生速度は、単位時間当たりにディスクから再生（読出）されるデータ量により指示される。通常再生においては予め指定された速度でデータの再生が行なわれてデータの読飛ばし（一部データを読まずに先のデータを読むこと）は行なわれない。一方、早送り再生では、単位時間あたりに読出すデータ量を通常再生よりも多くする。そのために、データの読飛ばしが行なわれる。単位時間あたりに読飛ばすデータ量が多いと早送り再生速度は高くなり、単位時間あたりに読飛ばすデータ量が少ないと早送り再生速度は低くなる。
【課題を解決するための手段】
【００１１】
この発明のある局面に従うと、映像データと前記映像データに関連の制御情報とを含む複数の映像ユニットからなるコンテンツが記録されたディスクから、前記コンテンツを再生するディスク装置は、以下の特徴を備える。
【００１２】
コンテンツの通常再生中において早送り指示が入力されると、入力された早送り指示に基づき、早送りすべき映像データ量の通常再生時間を検出する早送り時間検出部と、早送り指示が入力された時点で通常再生中の映像ユニット中の映像データの通常再生に要する時間を検出するユニット時間検出部と、早送り時間検出部により検出された通常再生時間と、ユニット時間検出部により検出された時間に基づき、早送りすべき映像データ量を構成する映像ユニットの個数を検出するユニット個数検出部と、早送り指示が入力された時点で通常再生中の映像データの映像ユニットのディスクから読出されたアドレスと、ユニット個数検出部により検出された個数とに基づき、次位に再生するべき映像データの映像ユニットのディスクにおけるアドレスを指す次位アドレスを検出するアドレス検出部と、検出された次位アドレスに基づきディスクを検索して次位に再生するべき映像データを読出し出力する検索出力部とを備える。
【００１３】
そして、制御情報には、関連の映像データの通常再生を開始する開始時間データと通常再生を終了する終了時間データとが含まれて、ユニット時間検出部は、早送り指示が入力された時点で通常再生中の映像データの映像ユニットの映像データの通常再生に要する時間を、当該映像ユニット中の制御情報の開始時間データと終了時間データに基づき検出する。
そして、ディスクは、複数の映像ユニットそれぞれに対応して、当該映像ユニットのディスクにおけるアドレスが格納された記録領域を有し、記録領域の各アドレスは、コンテンツを再生する場合の当該アドレスに対応の映像ユニット中の映像データが再生されるべき順番を指す順番データにより指示される。
【００１４】
そして、アドレス検出部は、早送り指示が入力された時点で通常再生中の映像データの映像ユニットのディスクから読出されたアドレスに基づき記録領域を検索して、検索されたアドレスを指示する順番データとユニット個数検出部により検出された個数とに基づき次位に再生するべき映像データの映像ユニットの順番データを算出し、算出した順番データに基づき記録領域を検索して、当該順番データが指示するアドレスを前記次位アドレスとして読出す検索部を有する。
【００１５】
そして、ディスクは、通常再生中において早送り指示が入力されたときに、次位に再生するべき所定の映像データの映像ユニットのディスクにおけるアドレスが記録されたアドレスが記録されたアドレス領域を有し、検索部が算出した順番データが有効でないと検出されたときは、アドレス領域から読出されたアドレスが次位アドレスとして検索出力部に与えられ、アドレス検出部により検出されたアドレスが、ディスクにおけるコンテンツが記録された領域外のアドレスを指示すると検出されたときは、早送り指示に基づくディスクからの映像データの読出しを終了する。
【００１６】
そして、コンテンツのディスクへの記録フォーマットは＋ＶＲフォーマットまたはVideoフォーマットを指す。
【００１７】
この発明の他の局面に従うと、映像データと映像データに関連の制御情報とを含む複数の映像ユニットからなるコンテンツが記録されたディスクから、コンテンツを再生するディスク装置は、以下の特徴を備える。
【００１８】
コンテンツの通常再生中において早送り指示が入力されると、入力された早送り指示に基づき、早送りすべき映像データ量の通常再生時間を検出する早送り時間検出部と、早送り指示が入力された時点で通常再生中の映像ユニット中の映像データの通常再生に要する時間を検出するユニット時間検出部と、早送り時間検出部により検出された通常再生時間と、ユニット時間検出部により検出された時間に基づき、早送りすべき映像データ量を構成する映像ユニットの個数を検出するユニット個数検出部と、早送り指示が入力された時点で通常再生中の映像データの映像ユニットのディスクから読出されたアドレスと、ユニット個数検出部により検出された個数とに基づき、次位に再生するべき映像データの映像ユニットのディスクにおけるアドレスを指す次位アドレスを検出するアドレス検出部と、検出された次位アドレスに基づきディスクを検索して次位に再生するべき映像データを読出し出力する検索出力部とを備え、制御情報には、関連の映像データの通常再生を開始する開始時間データと通常再生を終了する終了時間データとが含まれて、ユニット時間検出部は、早送り指示が入力された時点で通常再生中の映像データの映像ユニットの映像データの通常再生に要する時間を、当該映像ユニット中の制御情報の開始時間データと終了時間データに基づき検出する。
【００１９】
好ましくは、ディスクは、複数の映像ユニットそれぞれに対応して、当該映像ユニットのディスクにおけるアドレスが格納された記録領域を有し、記録領域の各アドレスは、コンテンツを再生する場合の当該アドレスに対応の映像ユニット中の映像データが再生されるべき順番を指す順番データにより指示されて、アドレス検出部は、早送り指示が入力された時点で通常再生中の映像データの映像ユニットのディスクから読出されたアドレスに基づき記録領域を検索して、検索されたアドレスを指示する順番データとユニット個数検出部により検出された個数とに基づき次位に再生するべき映像データの映像ユニットの順番データを算出し、算出した順番データに基づき記録領域を検索して、当該順番データが指示するアドレスを次位アドレスとして読出す検索部を有する。
【００２０】
好ましくは、ディスクは、通常再生中において早送り指示が入力されたときに、次位に再生するべき所定の映像データの映像ユニットのディスクにおけるアドレスが記録されたアドレス領域を有し、検索部が算出した順番データが有効でないと検出されたときは、アドレス領域から読出されたアドレスが次位アドレスとして検索出力部に与えられる。
【００２１】
好ましくは、アドレス検出部により検出されたアドレスが、ディスクにおけるコンテンツが記録された領域外のアドレスを指示すると検出されたときは、早送り指示に基づくディスクからの映像データの読出しを終了する。
【００２２】
好ましくは、コンテンツのディスクへの記録フォーマットは＋ＶＲフォーマットまたははVideoフォーマットを指す。
【００２３】
この発明のさらに他の局面に従うと、映像データと映像データに関連の制御情報とを含む複数の映像ユニットからなるコンテンツが記録されたディスクから、コンテンツを再生する方法は、以下の特徴を備える。
【００２４】
コンテンツの通常再生中において早送り指示が入力されると、入力された早送り指示に基づき、早送りすべき映像データ量の通常再生時間を検出するステップと、早送り指示が入力された時点で通常再生中の映像ユニット中の映像データの通常再生に要する時間を検出するステップと、検出された通常再生時間と検出された時間に基づき、早送りすべき映像データ量を構成する前記映像ユニットの個数を検出するステップと、早送り指示が入力された時点で通常再生中の映像データの映像ユニットのディスクから読出されたアドレスと、ユニット個数を検出するステップにより検出された個数とに基づき、次位に再生するべき映像データの映像ユニットのディスクにおけるアドレスを指す次位アドレスを検出するステップと、検出された次位アドレスに基づきディスクを検索して次位に再生するべき映像データを読出し出力するステップとを備え、制御情報には、関連の映像データの通常再生を開始する開始時間データと通常再生を終了する終了時間データとが含まれて、映像ユニットの映像データの通常再生に要する期間を検出するステップでは、早送り指示が入力された時点で通常再生中の映像データの映像ユニットの映像データの通常再生に要する時間を、当該映像ユニット中の制御情報の開始時間データと終了時間データに基づき検出する。
【００２５】
そして、ディスクは、複数の映像ユニットそれぞれに対応して、当該映像ユニットのディスクにおけるアドレスが格納された記録領域を有し、記録領域の各アドレスは、コンテンツを再生する場合の当該アドレスに対応の映像ユニット中の映像データが再生されるべき順番を指す順番データにより指示されて、次位に再生するべき映像データの映像ユニットのディスクにおけるアドレスを検出するステップは、早送り指示が入力された時点で通常再生中の映像データの映像ユニットのディスクから読出されたアドレスに基づき記録領域を検索して、検索されたアドレスを指示する順番データとユニット個数検出部により検出された個数とに基づき次位に再生するべき映像データの映像ユニットの順番データを算出し、算出した順番データに基づき記録領域を検索して、当該順番データが指示するアドレスを次位アドレスとして読出すステップを有する。
【００２６】
さらに、ディスクは、通常再生中において早送り指示が入力されたときに、次位に再生するべき所定の映像データの映像ユニットのディスクにおけるアドレスが記録されたアドレス領域を有し、算出した順番データが有効でないと検出されたときは、アドレス領域から読出されたアドレスが前記次位アドレスとして出力されて、アドレスを検出するステップにより検出されたアドレスが、ディスクにおけるコンテンツが記録された領域外のアドレスを指示すると検出されたときは、早送り指示に基づくディスクからの映像データの読出しを終了し、コンテンツのディスクへの記録フォーマットは＋ＶＲフォーマットまたはVideoフォーマットを指す。
【００２７】
この発明のさらに他の局面に従うと、映像データと映像データに関連の制御情報とを含む複数の映像ユニットからなるコンテンツが記録されたディスクから、コンテンツを再生する方法であって、以下の特徴を備える。
【００２８】
コンテンツの通常再生中において早送り指示が入力されると、入力された早送り指示に基づき、早送りすべき映像データ量の通常再生時間を検出するステップと、早送り指示が入力された時点で通常再生中の映像ユニット中の映像データの通常再生に要する時間を検出するステップと、検出された通常再生時間と検出された前記時間に基づき、早送りすべき映像データ量を構成する映像ユニットの個数を検出するステップと、早送り指示が入力された時点で通常再生中の映像データの映像ユニットのディスクから読出されたアドレスと、ユニット個数を検出するステップにより検出された個数とに基づき、次位に再生するべき映像データの映像ユニットのディスクにおけるアドレスを指す次位アドレスを検出するステップと、検出された次位アドレスに基づきディスクを検索して次位に再生するべき映像データを読出し出力するステップとを備え、制御情報には、関連の映像データの通常再生を開始する開始時間データと通常再生を終了する終了時間データとが含まれて、映像ユニットの映像データの通常再生に要する期間を検出するステップでは、早送り指示が入力された時点で通常再生中の映像データの映像ユニットの映像データの通常再生に要する時間を、当該映像ユニット中の制御情報の開始時間データと終了時間データに基づき検出する。
【００２９】
好ましくは、ディスクは、複数の映像ユニットそれぞれに対応して、当該映像ユニットのディスクにおけるアドレスが格納された記録領域を有し、記録領域の各アドレスは、コンテンツを再生する場合の当該アドレスに対応の映像ユニット中の映像データが再生されるべき順番を指す順番データにより指示され、次位に再生するべき映像データの映像ユニットのディスクにおけるアドレスを検出するステップは、早送り指示が入力された時点で通常再生中の映像データの映像ユニットのディスクから読出されたアドレスに基づき記録領域を検索して、検索されたアドレスを指示する順番データとユニット個数検出のステップにより検出された個数とに基づき次位に再生するべき映像データの映像ユニットの順番データを算出し、算出した順番データに基づき記録領域を検索して、当該順番データが指示する前記アドレスを次位アドレスとして読出すステップを有する。
【００３０】
好ましくは、ディスクは、通常再生中において早送り指示が入力されたときに、次位に再生するべき所定の映像データの映像ユニットのディスクにおけるアドレスが記録されたアドレス領域を有し、算出した順番データが有効でないと検出されたときは、アドレス領域から読出されたアドレスが次位アドレスとして出力される。
【００３１】
好ましくは、アドレスを検出するステップにより検出されたアドレスが、ディスクにおけるコンテンツが記録された領域外のアドレスを指示すると検出されたときは、早送り指示に基づくディスクからの映像データの読出しを終了する。
【００３２】
好ましくは、コンテンツのディスクへの記録フォーマットは＋ＶＲフォーマットまたはVideoフォーマットを指す。
【発明の効果】
【００３３】
本発明によれば、早送りするべき映像データ量を構成する映像ユニットの個数を制御情報の通常再生を開始する開始時間データと通常再生を終了する終了時間データに基づき算出して、算出した個数と早送り指示入力時点で通常再生中の映像ユニットのディスク上におけるアドレスとにより、簡単に、早送りによって次位に再生されるべき映像ユニットのアドレスを特定できるから、ユーザはディスクの記録フォーマットにかかわらず、早送り指示で示す所望速度でディスクに記録された情報を早送り再生することができる。
【発明を実施するための最良の形態】
【００３４】
以下、この発明の実施の形態について図面を参照し詳細に説明する。
ここでは、ディスクへのデータ（コンテンツ）は＋ＶＲフォーマットに従い記録されるとしているが、記録フォーマットはこれに限定されず、Ｖｉｄｅｏフォーマットであっても同様に適用することができる。
【００３５】
また、本実施の形態では、＋ＶＲフォーマットおよびＶｉｄｅｏフォーマットのいずれに従う記録動作においても、ＤＶＤに記録されるデータの種類およびデータ構造は従来と何ら変更されるものではなく、早送り再生を含む再生モードにおいて、動作を制御するために用いるデータの種類を、従来とは変更している点に特徴を有する。
【００３６】
図１は、この発明の実施の形態に係るＤＶＤ記録再生装置１００のブロック構成図である。図１を参照しＤＶＤ記録再生装置１００は、該装置の各部を集中的に制御および監視するためのＣＰＵ（Central Processing Unit）を含む制御部３、ＨＤＤ（Hard Disc Drive）５、ＨＤＤ５およびＤＶＤ７のアクセスを制御するためのディスク制御部９、デジタルＴＶ（Television）放送などの放送信号を受信するためのアンテナ１１、アンテナ１１から出力される受信した放送信号を入力して所望チャネルの放送信号を抽出するためのＴＶチューナ１３、図示されない外部装置からのオーディオ信号またはビデオ信号などを入力するためのＡ／Ｖ（Audio／Visual）入力部１５、エンコード部１７、デコード部１９、出力部２１、ユーザが外部操作して各種情報や指示をＤＶＤ記録再生装置１００に与えするための複数のキーを含むキー入力部２３、ＤＶＤ記録再生装置１００の動作モードなど各種情報を表示するための表示部２５、制御部３のＣＰＵによりアクセスされるデータやプログラムを格納するＲＯＭ（Read Only Memory）３４およびＲＡＭ（Random Access Memory）３５、およびこれら各部間を接続するためのデータバス３１を含む。
【００３７】
ＲＡＭ３５は後述する変数ＳＰを格納するための領域３５１、後述する変数ＣＫを格納するための領域３５２、後述する現在のＶＯＢＵ♯ｊのＮＶ−ＰＣＫを格納するための領域３５３および後述するタイトルデータ６のＶＴＳＩを格納するための領域３５４を含む。領域３５３および３５４には、再生モードおよび早送り再生モードにおいて、ＤＶＤ７からディスク制御部９によって読出されて、読出されたデータが制御部３により書込まれる。
【００３８】
ディスク制御部９にはＤＶＤ７が着脱自在に装着されてディスク制御部９は装着されたＤＶＤ７をアクセスしてデータの読み書きを行なう。ＤＶＤ７にはディスク制御部９により＋ＶＲフォーマットに従いデータが記録されると想定する。
【００３９】
ＨＤＤ５またはＤＶＤ７にデータを記録するとき、たとえばＴＶ放送による番組のデータまたはＡ／Ｖ入力部１５を介して入力した信号に従うデータを記録するとき、アンテナ１１とＴＶチューナ１３を介して入力した所望番組の信号またはＡ／Ｖ入力部１５を介して入力した映像信号は、エンコード部１７によりたとえばＭＰＥＧ（Motion Picture Experts Group）に従いコード化されて、データとしてディスク制御部９に与えられるので、ディスク制御部９は制御部３の制御の下にＨＤＤ５またはＤＶＤ７に該データを記録する。
【００４０】
ＨＤＤ５またはＤＶＤ７からデータを再生するときには、ディスク制御部９は制御部３の制御の下に、ＨＤＤ５またはＤＶＤ７から指定された番組（コンテンツ）のデータを読出し、デコード部１９に与える。デコード部１９においては与えられたデータをＭＰＥＧに従いデコード処理し、処理結果得られた信号は出力部２１を介してケーブル４００を経由して図示されないＴＶ受像機２００に出力される。ＴＶ受像機２００には、再生されたデータに従う映像が表示されたり、音声出力されたりする。ここではＤＶＤ記録再生装置１００とＴＶ受像機２００とはケーブル４００による有線による通信を想定しているが、有線に代替して無線通信であってもよい。
【００４１】
制御部３は、再生部３７、指示検出部３８、早送り部３９、およびこれらを制御する制御部３６を備える。早送り部３９はマップ検索部３９１を含む。再生部３７、指示検出部３８、マップ検索部３９１を含む早送り部３９、および制御部３６のそれぞれは、制御部３のＣＰＵがＲＯＭ３４またはＲＡＭ３５から対応するプログラムを読出し、読出したプログラムを実行することにより、その機能が実現される。
【００４２】
図２には、ＤＶＤ７の＋ＶＲフォーマットに従う記録内容が模式的に示される。ＤＶＤ７には、１つまたは複数のタイトルデータ６が記録されている。タイトルデータ６の詳細は図３に示される。
【００４３】
図３を参照して、タイトルデータ６は、たとえば１個のＴＶ放送番組（プログラム）などの各種のコンテンツデータに相当する。全てのタイトルデータ６は、ＤＶＤ７のディスクのリードインエリアを除いた領域に格納されている。
【００４４】
タイトルデータ６はＶＴＳＩ（Video Title Set Information）、ＶＯＢＳ（Video Object set）およびバックアップ用のＶＴＳＩからなる。ＶＯＢＳは、複数のＣＥＬＬ♯ｉ（ｉ＝１、２、３、…、ｎ）からなる。ＣＥＬＬ♯ｉには、記録されたコンテンツのデータが格納される。記録フォーマットにもよるが、１個のＣＥＬＬ♯ｉには通常再生における再生時間が３０秒〜２分に相当する量のデータが格納される。
【００４５】
図４を参照して、ＶＴＳＩは当該タイトルデータ６の終端アドレスを指すデータ７０、当該タイトルデータ６を構成するセル（ＣＥＬＬ♯ｉ）の総数を指すデータ、当該タイトルデータ６における先頭のセルの開始アドレスを指すデータＳＴ１、当該タイトルデータ６を通常再生した場合に再生に要するトータール時間を指すデータ、およびアドレスマップ４０を含む。
【００４６】
図３を参照して、ＣＥＬＬ♯ｉは、複数のＶＯＢＵ（Video Object Unit）♯ｊ（ｊ＝１、２、…、ｍ）を含む。
【００４７】
ＶＯＢＵ♯ｊは、先頭にＮＶ−ＰＣＫ（ナビパック）および続いて映像と音声の実データ（ＶＩＤＥＯ＆ＡＵＤＩＯ）を含む。ＮＶ−ＰＣＫは、当該ＶＯＢＵ♯ｊに関連する情報であって、当該ＶＯＢＵ♯ｊを管理するとともにデータ再生の為の制御情報を指す。
【００４８】
ＮＶ−ＰＣＫは、ＶＯＢＵ♯ｊの再生開始時間（図３中の符号Ｔ２で指示する時刻）を示すデータ７１、対応のＶＯＢＵ♯ｊの再生終了時間（図３中の符号Ｔ３で指示する時刻）を示すデータ７２、対応するＣＥＬＬ♯ｉの先頭（図３中の符号Ｔ１で指示する位置）からデータを再生するのに要する時間を指すデータ７３およびサーチ情報６０を含む。
【００４９】
データ７１、７２および７３は、タイトルデータ６が先頭データから、すなわちデータＳＴ１が指示するセル開始アドレスからコンテンツを通常の再生速度で再生開始した場合における再生時間を示す。図３のデータＴ１が示すアドレスのデータの再生開始時刻を基準時刻とすると、符号Ｔ１、Ｔ２およびＴ３それぞれが指示する時刻は当該基準時刻からの経過時間を指す。
【００５０】
サーチ情報６０は、複数個の情報６１を含む。情報６１は、通常再生において、当該情報６１を有するＶＯＢＵ♯ｊを現在再生していると想定した場合に、現在再生中のＶＯＢＵ♯ｊから０．５秒後に再生すべきＶＯＢＵのアドレス、１．０秒後に再生すべきＶＯＢＵのアドレス、１．５秒後に再生すべきＶＯＢＵのアドレス…３秒後に再生すべきＶＯＢＵのアドレスというように、０．５秒間隔で、次に再生すべきＶＯＢＵ♯ｊのアドレスが格納される。
【００５１】
図５を参照してＤＶＤ７においてタイトルデータ６毎に対応して記録されるアドレスマップ４０について説明する。アドレスマップ４０はアドレスマップ自身が記録された領域の最終のアドレスを示すアドレスマップ終了アドレスデータ４３を格納する先頭の領域４１と領域４１に続く領域４２を含む。アドレスマップ終了アドレスデータ４３はアドレスマップ４０の先頭からの相対アドレスを指す。
【００５２】
領域４２には、当該アドレスマップ４０に対応のタイトルデータ６を構成する全てのＶＯＢＵ♯ｊのそれぞれに対応するレコード４４が、タイトルデータ６を再生する場合において当該ＶＯＢＵ♯ｊが再生されるべき順番に従い昇順に格納される。ここではレコード４４はｈ個格納されると想定する。レコード４４には、対応するＶＯＢＵ♯ｊが記録されているＤＶＤ７上のアドレスを指すアドレスデータＡＤが格納されている。
【００５３】
マップ検索部３９１はアドレスマップ４０を検索して所定のレコード４４の内容（アドレスデータＡＤ）を読出す。この検索において、マップ検索部３９１は、所定レコード４４がアドレスマップ４０の先頭から何番目に格納されたレコード４４であるかを、アドレスマップ４０の先頭から格納されているレコード４４をカウントするなどにより検出して、検出した順番を指す値（１，２，３，・・・，ｈのいずれかの値）を、一時変数Ｋに設定する。
【００５４】
ここでは、レコード４４の記録アドレスＡＤが指す値が小さいほど、当該レコード４４の順番を指す変数Ｋの値は小さく、アドレスデータＡＤが指示するアドレスの値が大きいほど、変数Ｋの値も大きくなる。
【００５５】
次に図６のフローチャートを参照して、再生部３７により、＋ＶＲフォーマットに従いコンテンツが記録されたＤＶＤ７を通常再生の速度で所定のタイトルデータ６の再生動作中に、キー入力部２３を介したユーザのキー操作により、早送り再生が指示された場合を想定し説明する。
【００５６】
なお、ここでは制御部３がＤＶＤ７をアクセスする速度に比較してＲＡＭ３５をアクセスする速度の方がはるかに高速であるので、所定のタイトルデータ６のアドレスマップ４０を含むＶＴＳＩは、早送り再生を可能ならしめる高速アクセスを実現するためにディスク制御部９によりＤＶＤ７から予め読出されて、ＲＡＭ３５の領域３５４に格納されていると想定する。ただし、高速アクセス可能であれば領域３５４に予め転送せずにＤＶＤ７のアドレスマップ４０をアクセスするようにしてもよい。また、同様の理由から現在再生中のＶＯＢＵ♯ｊのＮＶ−ＰＣＫもまたＤＶＤ７から読出されて、ＲＡＭ３５の領域３５３に格納されていると想定するが、高速アクセス可能であれば領域３５３に予め転送せずにＤＶＤ７のＮＶ−ＰＣＫをアクセスするようにしてもよい。
【００５７】
通常再生中に早送り再生が指示された場合、キー操作に従う指示データは制御部３６に与えられる（ステップＳ１）。制御部３６は、当該指示を入力すると指示検出部３８に当該指示を与える。指示検出部３８は、制御部３６から与えられる指示に基づき、ユーザが指定した読飛ばし間隔を検出する。たとえば、キー入力部２３の早送りキーの操作回数に基づき当該間隔を検出する。読飛ばし間隔は、読飛ばすべきデータ量を通常再生する場合に要する再生時間を指す。検出された読飛ばし間隔は変数ＳＰに設定される（ステップＳ２）。変数ＳＰはＲＡＭ３５の領域３５１に格納される。
【００５８】
次に、早送り部３９のマップ検索部３９１は、現在再生中の（早送り指示が入力された時点で再生中の）ＶＯＢＵ♯ｊのレコード４４のアドレスマップ４０における格納された順番を指す変数Ｋの値を変数ＣＫに設定する（ステップＳ３）。変数ＣＫはＲＡＭ３５の領域３５２に格納される。
【００５９】
つまり、ＤＶＤ７のコンテンツを再生中には、ディスク制御部９により再生されるべきＶＯＢＵ♯ｊのデータとともに、その記録アドレスがＤＶＤ７から読出される。ディスク制御部９は読出したＶＯＢＵ♯ｊをデコード部１９に出力するので、ＶＯＢＵ♯ｊに従う映像などはＴＶ受像機２００において表示される。また、ディスク制御部９は読出したＶＯＢＵ♯ｊのＤＶＤ７におけるアドレスとＮＶ−ＰＣＫを制御部３に出力する。
【００６０】
マップ検索部３９１は、ディスク制御部９から与えられるＶＯＢＵ♯ｊのアドレスを入力して、入力アドレスに基づきＲＡＭ３５のアドレスマップ４０を検索する。この検索により、当該入力アドレスを指示するアドレスデータＡＤを格納したレコード４４が特定されて、特定されたレコード４４の順番を指す値が変数Ｋに設定される。これにより、現在再生中のＶＯＢＵ♯ｊのレコード４４の再生されるべき順番を指す値が変数Ｋにより指示される。
【００６１】
次に、早送り部３９は、ＲＡＭ３５の領域３５３に格納された現在再生中のＶＯＢＵ♯ｊのＮＶ−ＰＣＫを検索して、再生開始時間のデータ７１と再生終了時間のデータ７２とを読出し、読出したデータ７１と７２に基づき、１個のＶＯＢＵ♯ｊのデータを通常再生するのに要する時間Ｔ（＝Ｔ２−Ｔ１）を算出する（ステップＳ５）。
【００６２】
次に、早送り部３９は、ＲＡＭ３５のアドレスマップ４０を検索して次位のＶＯＢＵ♯ｊの再生されるべき順番を指す変数Ｋ（以下、次位の順番データＫという）の指示する値を算出する。次位の順番データＫの指示する値は、（変数ＣＫの値＋（変数ＳＰの値）／再生に要する時間Ｔ）に従い算出される（ステップＳ７）。なお、ここでは、変数ＳＰの値は、時間Ｔよりも大きい値と想定する。
【００６３】
次位のＶＯＢＵ♯ｊとは、早送り再生モードでは、現在再生中のＶＯＢＵ♯ｊに続いて再生されるべき一部データ（１個以上のＶＯＢＵ♯ｊ）の読飛ばしが行なわれた後に、当該一部データに続いて再生（読出）されるべきＶＯＢＵ♯ｊを指す。通常再生では、現在再生中のＶＯＢＵ♯ｊに続いて再生されるべきＶＯＢＵ♯ｊ+1を指す。
【００６４】
次に、制御部３６は、算出された次位の順番データＫの値が有効であるか否かを判定する。つまり、制御部３６は（（次位の順番データＫの値）×４バイト）に従う算出値と、アドレスマップ４０の領域４１から読出したアドレスマップ終了アドレスデータ４３が指示する値とを比較し、比較結果が（算出値＞アドレスマップ終了アドレスデータ４３の指示する値）を指示すると判定したならば、次位の順番データＫは有効ではないと検出する（ステップＳ９でＮＯ）。すなわち次位の順番データＫにより指示されるレコード４４はアドレスマップ４０に登録されていないために当該順番データＫに対応の次位のＶＯＢＵ♯ｊは現在再生中のタイトルデータ６を構成するデータではないと検出される。その後、後述するステップＳ１３以降の処理に移る。一方、比較結果が（算出値≦アドレスマップ終了アドレスデータ４３の指示する値）を指示すると判定したならば、次位の順番データＫは有効であると検出する（ステップＳ９でＹＥＳ）。すなわち次位の順番データＫが指示するレコード４４はアドレスマップ４０に登録されているので当該次位の順番データＫが指示するレコード４４にに対応の次位のＶＯＢＵ♯ｊは現在再生中のタイトルデータ６を構成するデータであると検出される。その後、ステップＳ１１以降の処理に移る。
【００６５】
ステップＳ１１においては、マップ検索部３９１は、次位の順番データＫが指示するレコード４４に対応のＶＯＢＵ♯ｊのアドレスを検出する。すなわち、次位の順番データＫに基づき、アドレスマップ４０を検索し、当該次位の順番データＫが指示するレコード４４中からアドレスデータＡＤを読出す。読出したアドレスデータＡＤは制御部３６に与えられる。
【００６６】
次に、マップ検索部３９１は次位の順番データＫの値を変数ＣＫにセットする（ステップＳ１６）。これにより、変数ＣＫは現在の次位の順番データＫの値を指示するように更新される。
【００６７】
制御部３６は与えられるアドレスデータＡＤに対応の次位のＶＯＢＵ♯ｊがタイトルデータ６に含まれるか否かを判定する（ステップＳ１７）。具体的には、ＲＡＭ３５のＶＴＳＩから読出したデータ７０が指すタイトルデータ終端アドレスと、与えられたアドレスデータＡＤのアドレスとを比較し、比較結果が（タイトルデータ終端アドレス≦アドレスデータＡＤのアドレス）を指示する場合には次位のＶＯＢＵ♯ｊはタイトルデータ６に含まれないと検出される（ステップＳ１７でＮＯ）。その後は、一連の早送り再生処理は終了して、再生部３７により変数ＣＫで指示されるＶＯＢＵ♯ｊから元の通常再生が行なわれる。
【００６８】
一方、比較結果が（タイトルデータ終端アドレス＞アドレスデータＡＤのアドレス）を指示する場合には次位のＶＯＢＵ♯ｊはタイトルデータ６内に含まれると検出されて（Ｓ１７でＹＥＳ）、早送り再生を継続するためにステップＳ１９の処理が行なわれる。
【００６９】
ステップＳ１９においては、制御部３６は与えられたアドレスデータＡＤをディスク制御部９に出力するので、ディスク制御部９は与えられるアドレスデータＡＤが指示する次位のＶＯＢＵ♯ｊをＤＶＤ７から検索し、検索により読出した次位のＶＯＢＵ♯ｊをデコード部１９に出力するとともに、当該次位のＶＯＢＵ♯ｊのＮＶ−ＰＣＫを制御部３６に出力する。これにより、デコード部１９および出力部２１を介してＴＶ受像機２００には実データに従う映像が表示され音声が出力される。
【００７０】
その後、ステップＳ５の処理に移行して、ステップＳ５以降の処理が前述と同様に行なわれる。
【００７１】
ここで、次位の順番データＫは有効ではないと検出された場合には（ステップＳ９でＮＯ）、早送り部３９はＲＡＭ３５に領域３５１に格納された現在のＶＯＢＵ♯ｊのＮＶ−ＰＣＫのサーチ情報６０の所定の次位のＶＯＢＵ♯ｊのアドレスを検出する（ステップＳ１３）。たとえば、所定の次位のＶＯＢＵ♯ｊとして‘３秒後再生のＶＯＢＵアドレス’を検出する。ステップＳ１３で領域３５１のＮＶ−ＰＣＫのサーチ情報６０から読出す次位のＶＯＢＵ♯ｊのアドレス６１は予め決められているとする。
【００７２】
ステップＳ１５では、マップ検索部３９１は読出された次位のＶＯＢＵ♯ｊのアドレスに基づき、ＲＡＭ３５のアドレスマップ４０を検索して、当該アドレスをアドレスデータＡＤとして格納したレコード４４の順番を指示する値を取得して、取得した値を変数Ｋに設定する。
【００７３】
その後、ステップＳ１６以降の処理が同様に行なわれて、次位のＶＯＢＵ♯ｊがタイトルデータ６内に含まれるものではないと判定されるまで（ステップＳ１７ＮＯ）、早送り再生が継続する。
【００７４】
このように＋ＶＲフォーマットでは、録画時の負担を減らすため制御情報のサーチ情報６０が簡略化して記録されていることに起因して、早送りに必要なサーチ情報６０がＶｉｄｅｏフォーマットと比べて少なく早送り速度を調整できないという従来の課題は、本実施の形態では、上述したように少なくともアドレスマップ４０および現在再生中のＶＯＢＵ♯ｊの再生開始／終了時刻データ７１および７２（必要な場合には更にサーチ情報６０を用いる）を用いることにより、ユーザがキー入力部２３を介して指定した早送り速度に従う時間間隔で現在再生中のＶＯＢＵ♯ｊから次位に再生すべきＶＯＢＵ♯ｊにジャンプして、ジャンプ先の次位のＶＯＢＵ♯ｊのデータを読出し再生することができる。これにより、サーチ情報６０が簡略化されたフォーマットで記録されたコンテンツであったとしても、各種のフォーマットに共通して記録される少なくともアドレスマップ４０および現在再生中のＶＯＢＵ♯ｊの再生開始／終了時刻データ７１および７２（必要な場合には更にサーチ情報６０を用いる）を用いて早送りを行なうようにしているので、ユーザの要求に応じた早送りの速度を達成することができる。
【００７５】
図７には、本実施の形態に係るＤＶＤ記録再生装置１００とＴＶ受像機２００の外観が示される。ＤＶＤ記録再生装置１００は、ＴＶ受像機２００とケーブル４００を介して接続される。ＤＶＤ記録再生装置１００には、ＤＶＤ７が外部から着脱自在に装着される。また、ＤＶＤ記録再生装置１００のフロントパネルには、外部から操作が可能なようにキー入力部２３が設けられている。また、ＤＶＤ記録再生装置１００の動作状態を表示するための液晶などからなる表示部２５が設けられる。ここでは、キー入力部２３を介してユーザからの再生、または早送り再生等の指示が与えられるとしているが、これに代えて、リモートコントローラ３００から赤外線信号などにより変調された指示信号がＤＶＤ記録再生装置１００に与えられるとしてもよい。
【００７６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７７】
【図１】この発明の実施の形態に係るＤＶＤ記録再生装置のブロック図である。
【図２】この発明の実施の形態に係るＤＶＤの記録内容を模式的に示す図である。
【図３】この発明の実施の形態に係るタイトルデータを説明する図である。
【図４】この発明の実施の形態に係るＶＴＳＩを説明する図である。
【図５】この発明の実施の形態に係るアドレスマップを説明する図である。
【図６】この発明の実施の形態に係る早送り再生モードの処理フローチャートである。
【図７】この発明の実施の形態に係るＤＶＤ記録再生装置およびＴＶ受像機の外観を示す図である。
【図８】従来技術およびこの発明の実施の形態に係るＤＶＤの記録内容を模式的に示す図である。
【符号の説明】
【００７８】
６  タイトルデータ、７  ＤＶＤ、３６  制御部、３７  再生部、３８  指示検出部、３９  早送り部、４０  アドレスマップ、６０  サーチ情報、７０  タイトルデータ終端アドレス、７１  ＶＯＢＵ♯ｊの再生開始時間のデータ、７２  ＶＯＢＵ♯ｊの再生開始時間のデータ、３９１  マップ検索部。
【図１】
2008226413.tif 000003
【図２】
2008226413.tif 000004
【図３】
2008226413.tif 000005
【図４】
2008226413.tif 000006
【図５】
2008226413.tif 000007
【図６】
2008226413.tif 000008
【図７】
2008226413.tif 000009
【図８】
2008226413.tif 000010